(57)【要約】【課題】施設の規模を問わず、且つ予め所定の標識等を設置することなく、該対象領域内の情報受益者に対して広告等の情報を効果的に届けるともに、災害発生時における避難誘導情報を確実に送り届ける方法を提供する。【解決手段】頒布物品を介した情報取得方法であって、該頒布物品にはコンピュータネットワーク上の所定のサイトへアクセスする手段が付され、該アクセス手段は所定の広告及び所定の避難誘導情報へアクセスを可能とする必要な情報を具備し、該アクセス手段を介したアクセス処理並びにダウンロード処理を実行可能な機能を備えた端末を利用して前記広告及び前記避難誘導情報を取得し、さらには、前記端末が備える位置情報取得手段により該端末の所在を示す位置情報を取得し、前記避難誘導情報及び前記位置情報の両情報を該端末画面上に重畳的に表示する。【選択図】図１
2017146636.tif 000002
【特許請求の範囲】
【請求項１】
頒布物品を介した情報取得方法であって、
該頒布物品にはコンピュータネットワーク上の所定のサイトへアクセスする手段が付され、
該アクセス手段は所定の広告及び所定の避難誘導情報へアクセスを可能とする必要な情報を具備し、
該アクセス手段を介したアクセス処理並びにダウンロード処理を実行可能な機能を備えた端末を利用して前記広告及び前記避難誘導情報を取得することを特徴とした頒布物品を介した情報取得方法。
【請求項２】
前記端末が備える位置情報取得手段により該端末の所在を示す位置情報を取得し、前記避難誘導情報及び前記位置情報の両情報を該端末画面上に重畳的に表示することを特徴とした頒布物品を介した情報取得方法。
【請求項３】
前記特定サイトへのアクセスする手段には、一次元コード、二次元コード、ＡＲ用マーカー又は画像から選ばれる少なくとも一種以上が含まれることを特徴とする請求項１又は請求項２のいずれかに記載の情報取得方法。
【請求項４】
請求項１乃至請求項３のいずれかに記載の情報取得方法において用いられる頒布物品。
【請求項５】
前記頒布物品とは、袋体、頭巾、傘袋、エプロン、雨合羽、レジャーシートから選ばれる少なくとも一種若しくは当該一種を内包するものであることを特徴とする請求項４に記載の頒布物品。
【発明の詳細な説明】
【技術分野】
【０００１】
本発明は、不特定多数を対象とする広告宣伝物などの頒布物に付したアクセス情報、例えば、二次元コード、ＡＲ（Ａｕｇｕｍｅｎｔｅｄ  Ｒｅａｌｉｔｙ）マーカーなどの読取コード等に紐づけされた情報を利用して各種情報を取得する方法及びその頒布物に関するものである。
【背景技術】
【０００２】
従来、商品等に付与されたバーコードを携帯端末で読み取り、ネットワークを介して所定の情報提供サーバーから広告などの各種情報を入手する技術が知られている（特許文献１）。
【０００３】
また、地下街や商業ビルなど不特定多数の人間が自由に出入りする施設において、施設利用者が施設内の壁等に設置された避難誘導標識に付された２次元コードを携帯端末のカメラ機能で読み取り所定の管理サーバーへアクセスし、災害情報や避難ルートを確認できるシステムが知られている（特許文献２）。
【先行技術文献】
【特許文献】
【０００４】
【特許文献１】特開２００３−１５０４８８
【特許文献２】特開２００７−０３４６７１
【発明の概要】
【発明が解決しようとする課題】
【０００５】
特許文献１に記載の技術は、情報提供者から情報受益者へ向けられた一方向の情報提供であることから、当該情報をダウンロードするかしないかの判断は情報受益者の当該情報に対する興味の有無という極めて不確定な要素に左右される結果、情報伝搬の効果が限定される。
【０００６】
また、特許文献２に記載のシステムによれば、予め施設内の多数箇所に避難誘導標識を設置しておかなければならず、規模の大きな施設においては、その設置作業、費用負担が問題となる。
【０００７】
そこで、本発明は、施設の規模を問わず、また所定の標識等を多数箇所に予め設置することなく、且つ情報受益者の興味の有無という不確定要素に左右されることなく対象エリア内の情報受益者に対し、広告等の情報を効果的に届けるともに、災害発生時における避難誘導情報を確実に報知する方法を提供することを目的とする。
【０００８】
さらに、頒布物を介して行うことで上記情報の授受以外に当該頒布物の利用の提供をも目的とする。
【課題を解決するための手段】
【０００９】
上記課題を解決するため、請求項１に記載の頒布物品を介した情報取得方法は、頒布物品を介した情報取得方法であって、該頒布物品にはコンピュータネットワーク上の所定のサイトへアクセスする手段が付され、該アクセス手段は所定の広告及び所定の避難誘導情報へアクセスを可能とする必要な情報を具備し、該アクセス手段を介したアクセス処理並びにダウンロード処理を実行可能な機能を備えた端末を利用して前記広告及び前記避難誘導情報を取得することを特徴とする。
【００１０】
また、請求項２に記載の頒布物品を介した情報取得方法は、前記端末が備える位置情報取得手段により該端末の所在を示す位置情報を取得し、前記避難誘導情報及び前記位置情報の両情報を該端末画面上に重畳的に表示することを特徴とする。
【００１１】
また、請求項３に記載の頒布物品を介した情報取得方法は、請求項１又は請求項２に記載の構成において、前記特定サイトへのアクセスする手段には、一次元コード、二次元コード、ＡＲ用マーカー又は画像から選ばれる少なくとも一種以上が含まれることを特徴とする。
【００１２】
また、請求項４に記載の頒布物品は、請求項１乃至請求項３のいずれかに記載の情報取得方法において用いられることを特徴とする。
【００１３】
また、請求項５に記載の頒布物品は、袋体、頭巾、傘袋、エプロン、雨合羽、レジャーシートから選ばれる少なくとも一種若しくは当該一種を内包するものであることを特徴とする。
【発明の効果】
【００１４】
請求項１に記載の頒布物品を介した情報取得方法よれば、避難誘導情報といういわば生命に関わる情報であるので、個人の趣味嗜好という不確定要素に左右されることなく情報受益者の端末へダウンロードされ、更にはこれと同時に所定の広告がダウンロードされることとなるため、広告主にとって効果的な広告宣伝方法となる。
【００１５】
請求項２に記載の頒布物品を介した情報取得方法によれば、前記取得した避難誘導情報と、端末に備わった位置情報取得手段により取得した当該端末の所在を示す位置情報とを重畳的に端末画面上へ表示することができることから、災害発生時には迅速かつ無駄なく避難することが可能となる。
仮に、災害発生時に通信インフラが遮断されたとしても、一旦ダウンロードした避難誘導情報は各端末に保存され、GPS等の位置情報取得手段の実行にも影響はないことから、安定した利用が可能である。
【００１６】
請求項３に記載の頒布物品を介した情報取得方法によれば、特定サイトへのアクセス手段に、当業者間に広く浸透した一次元コード、二次元コード、ＡＲ用マーカー又は画像を利用することから、本発明を容易に広めることが可能である。
【００１７】
請求項４に記載の頒布物品は、請求項１乃至請求項３のいずれかに記載の除法取得方法において用いられる頒布物品であるので、広告媒体として手軽に幅広く利用することができる。
【００１８】
請求項５に記載の頒布物品は、袋体、頭巾、傘袋、エプロン、雨合羽、レジャーシートから選ばれる少なくとも一種若しくは当該一種を内包するものであることから、上記効果に加え、例えば、粉塵除けに頭巾として利用できるなど、利用価値はさらに高まる。
【図面の簡単な説明】
【００１９】
【図１】本発明に係る情報取得方法を示す概念図である。
【図２】本発明に係る頒布物品を示す平面図である。
【図３】本発明に係る頒布物品を開封した様子を示す説明図である。
【図４】本発明に係る情報取得方法の流れを示すフロー図である。
【図５】避難誘導情報と位置情報とを重畳的に端末画面上に表示したことを示す図である。
【図６】本発明に係る頒布物品のバリエーションを示す平面図である。
【図７】本発明に係る頒布物品の他のバリエーションを示す平面図である。
【図８】本発明に係る頒布物品の利用例を示す図である。
【発明を実施するための形態】
【００２０】
本発明の具体的な実施例について図面を参照しながら説明する。本発明の概要は、野球場や競技場、コンサート会場など特定エリア内に集まる全ての情報受益者に本発明に係る頒布物品を携行させ、各携帯端末を利用して当該頒布物品に付された二次元コードを介したアクセス処理を経て所定の広告並びに避難誘導情報をダウンロードさせるとともに、ＧＰＳ等の位置確認手段により当該端末の位置情報と前記避難難誘導情報とを重畳的に各携帯端末画面上で視覚的に確認可能とすることで、災害発生時の避難経路等を各自が用意に確認できるようにするものである。以下、詳述する。
【００２１】
図１は、本発明に係る情報取得方法を示す概念図であり、１は頒布物品、２は携帯端末、３はコンピュータネットワーク、４はエリア管理サーバー、５は広告サーバー、６はＧＰＳ衛星（便宜上、一つのみ表示）を示す。
【００２２】
「エリア管理サーバー」４には、特定エリア、例えば、甲子園など特定の施設内における避難誘導情報（誘導順路や非常口など）が、本発明において読み出し可能に、所定の電子形式で格納されている。本発明の情報受益者からの所定のアクセス要求に応じて当該避難誘導情報を送信し、ダウンロードを促す。
【００２３】
「広告サーバー」５には、所定の広告が配信可能に格納され、本発明の情報受益者からの所定のアクセス要求に応じて当該避難誘導情報を送信し、ダウンロードを促す。
【００２４】
図２は、「頒布物品」１を示す平面図であり、１０はパッケージ外袋、１１はパッケージ外袋を開封するミシン目、１２はパッケージ外袋の中に内包されている袋体、２０はＡＲ用画像を示す。本実施の形態において、頒布物品１は、パッケージ外袋１０及び袋体１２とも合成樹脂又は生分解性樹脂をその素材とする。
【００２５】
画像２０には、前記エリア管理サーバー４へのアクセスを可能とするＵＲＬに加え、前記広告サーバー５へのアクセスを可能とするＵＲＬその他必要な情報が組み込まれている。
【００２６】
本実施の形態において、画像２０はＡＲ用画像を例示するが、本発明の目的を達成可能な手段であれば、これに替えて他の種類のバーコードやＡＲ用マーカーその他の２次元読み取りコードを利用してもよい。なお、画像の種類を問わずマーカーとして登録可能なＡＲ技術によれば、企業ロゴ自体もマーカーに利用することができ、直接的な広告表示としての利用価値もある。
【００２７】
図３は頒布物品１を開封した様子を示す説明図であり、前記ミシン目１１より開封したことで袋体１２が開放された状態を表す。尚、頭巾や傘袋、エプロン、雨合羽、レジャーシートなど、折り畳んでパッケージ外袋１０内に収納可能なものであれば、これらを袋体１２に替えてもよい。
【００２８】
情報受益者は自身の携帯端末に内蔵されたＧＰＳ機能によりＧＰＳ衛星５からの当該端末の位置情報を受信する。このとき、位置情報の精度を高めるために携帯電話基地局やＷｉ−Ｆｉ（Ｗｉｒｅｌｅｓｓ  Ｆｉｄｅｌｉｔｙ）のアクセスポイントを利用する技術との併用は妨げない。
【００２９】
前記エリア管理サーバー４からダウンロードした誘導順路や出口（Ｓ）を示す避難誘導情報は重畳的表示手段により、ＧＰＳから受信した前記位置情報とともに情報受益者の携帯端末２の画面上へ重畳的に表示される。
【００３０】
ここで重畳的表示手段とは、例えば、他のアプリケーションソフトに対し機能の一部を利用できるよう提供するインターフェイスであるＡＰＩ（Ａｐｐｌｉｃａｔｉｏｎ Ｐｒｏｇｒａｍｍｉｎｇ Ｉｎｔｅｒｆａｃｅ）技術又はこれに類似する技術を利用した手段を指すほか、一つのアプリケーションソフトにより避難誘導情報と位置情報を入手し、両情報を重畳的表示できる技術を妨げるものではない。
【００３１】
以下に、本発明に係る頒布物品を利用した情報取得方法につき、時系列に沿って詳述する。前提として、情報受益者は本発明に係る頒布物品を携行しているものであるところ、これは入場の際に個々に渡しても良いし、事前に予約チケットに同封して送り届けるなど方法は問わない。
【００３２】
先ず、情報受益者は、自身の携帯端末２に内蔵されたカメラアプリケーション又はバーコードリーダーアプリケーションを起動し（S101）、頒布物品１に表示されたＡＲ用画像２０を読み取る（S102）。そして、当該画像に組み込まれた情報を読み取り、エリア管理サーバー４並びに広告サーバー５へアクセスする（S103）。
【００３３】
アクセス要求を受けた当該管理サーバー４は、情報管理データベース（図示せず）から当該エリアの誘導順路や非常口などからなる避難誘導情報を抽出し、当該携帯端末２へ送信すると、これを当該端末は受信（S104-1）し、所定の格納手段へダウンロードする。
【００３４】
同時に、アクセス要求を受けた前記広告サーバー５は、情報管理データベース（図示せず）から所定の広告情報を抽出し、当該携帯端末２へ送信すると、これを当該端末は受信する（S104-2）。当該広告は、適宜、表示のみとしたり、クーポンをダウンロードしたりすることを選択的に行えばよい。
【００３５】
一方、携帯端末に内蔵されたＧＰＳ機能を起動させ、ＧＰＳ衛星５から当該端末２の位置情報を受信する（S105）。
【００３６】
前記エリア管理サーバー４から受信した避難誘導情報Ｐは、重畳的表示手段により、図５に示すように、前記ＧＰＳより受信した当該端末２の位置情報Ｑと合わせて情報受益者の携帯端末２の画面上へ重畳的に表示する（S106）。
【００３７】
図６中、２１は前述のＡＲ用画像２０に替えてＡＲ用マーカーを示し、図７中、２２は同様に二次元コードに替えたことを示す。いずれの画像やコードによっても、本願における所望の情報処理及び入手が可能である。
【００３８】
以上の構成の下、本発明によれば、本発明の頒布物品を介した情報取得方法よれば、対象エリアに予め特別な標識等を設置することなく、該エリア内にいる本発明に係る頒布物品を携行するすべての情報受益者に対し、対象エリア内の避難誘導情報及び自身の位置情報を重畳的に視認させることができる。
【００３９】
また、避難誘導情報という生命に関わる情報とセットで広告情報が処理される仕組みであることから、情報受益者への広告効果は極めて高い。
【００４０】
更に、前記袋体１２を利用すれば、携行者に当該エリア内で発生するゴミの持ち帰りを促し、導入する施設にとってもメリットが高い。また、頭巾のように被れば（図８）、粉塵を被ることなく避難できるなど物品としての利用価値も評価されるものである。
【産業上の利用可能性】
【００４１】
頒布物品は様々な種類への応用が可能であり、企業広告を掲載すれば費用負担の問題も解消できるほか、広狭を問わない特定エリア情報と位置情報との組み合わせは様々な分野への利用が可能な技術として期待される。
【符号の説明】
【００４２】
１    頒布物品
２    携帯端末
３    コンピュータネットワーク
４    エリア管理サーバー
５    広告サーバー
６    ＧＰＳ
１０  パッケージ外袋
１１  ミシン目
１２  袋体
２０  ＡＲ用画像
２１  ＡＲ用マーカー
２２  二次元コード
【図１】
2017146636.tif 000003
【図２】
2017146636.tif 000004
【図３】
2017146636.tif 000005
【図４】
2017146636.tif 000006
【図５】
2017146636.tif 000007
【図６】
2017146636.tif 000008
【図７】
2017146636.tif 000009
【図８】
2017146636.tif 000010